(57)【要約】【課題】異なる機種の電磁接触器と電気接続する際に、冶具等を使用せずに複数の接続線の相間ピッチを容易に変更可能とし、メンテナンスコストを低減することができる熱動形過負荷継電器を提供する。【解決手段】ケーシング内に、複数の接続線１２ａ〜１２ｃ同士の間隔を変更自在に係合保持し、ケーシングから外部に突出する複数の接続線の相間ピッチを変更可能とする接続線保持部１３を配置する。【選択図】図１０
2010232057.tif 000002
【特許請求の範囲】
【請求項１】
主バイメタルの温度上昇に伴う撓み変形で作動力を発生するアクチュエータ機構と、このアクチュエータ機構から作動力を受けて従動する調整機構と、この調整機構の動作により接点が切り替わる接点反転機構と、これらアクチュエータ機構、調整機構及び接点反転機構を格納するケーシングとを備え、電磁接触器の複数の端子に接続する複数の接続線が前記ケーシングから外部に突出している熱動形過負荷継電器において、
前記ケーシング内に、前記複数の接続線同士の間隔を変更自在に係合保持し、前記ケーシングから外部に突出する前記複数の接続線の相間ピッチを変更可能とする接続線保持部を配置したことを特徴とする熱動形過負荷継電器。
【請求項２】
前記ケーシングは、前記アクチュエータ機構、前記調整機構及び前記接点反転機構を格納するケースと、このケースの開口部を閉塞可能に該ケースに着脱自在に装着され、前記複数の接続線を外部に突出させる接続線通過部を設けたカバーとを備え、
前記接続線保持部は、前記ケースの開口部側に装着され、前記複数の接続線同士の間隔が変更自在となるように前記複数の接続線の一部を係合保持する少なくとも６箇所の保持部が設けられていることを特徴とする請求項１記載の熱動形過負荷継電器。
【請求項３】
前記接続線保持部は、前記ケースの内壁、前記ケース内に設けた隔壁及び前記ケースに装着した前記カバーの内壁に係合することで前記ケース内の特定位置に固定されていることを特徴とする請求項２記載の熱動形過負荷継電器。
【請求項４】
前記複数の接続線は、少なくとも相間ピッチを変更する方向に弾性変形自在となるように、折曲部を設けながら前記ケーシング内に格納されていることを特徴とする請求項１乃至３の何れか１項に記載の熱動形過負荷継電器。
【発明の詳細な説明】
【技術分野】
【０００１】
本発明は、電磁接触器と接続線を介して接続することで電磁開閉器を構成し、過電流を検知したときに接点の切り替えを行なう熱動形過負荷継電器に関する。
【背景技術】
【０００２】
熱動形過負荷継電器は、主バイメタルの温度上昇に伴う撓み変形で作動力を発生するアクチュエータ機構と、このアクチュエータ機構から作動力を受けて従動する調整機構と、調整機構の動作により接点が切り替わる接点反転機構と、これらアクチュエータ機構、調整機構及び接点反転機構を格納するケーシングとを備えている（例えば、特許文献１参照）。
【０００３】
この熱動形過負荷継電器は、電磁接触器と電気的に接続することで電磁開閉器を構成し、モータに通電される電流が予め設定した電流値以上になる過電流の発生時に電源と負荷間の電気的回路を遮断し、モータ等の電気的負荷機器が損傷することを防止する電気機器である。
図１４（ａ）は、電磁接触器５１Ａを直列に接続した熱動形過負荷継電器５２を示すものであり、この熱動形過負荷継電器５２には、電磁接触器５１Ａの複数の端子（Ｒ相端子５４ａ、Ｓ相端子５４ｂ、Ｔ相端子５４ｃ）に各々電気的に接続する複数の接続線（Ｒ相接続線５３ａ、Ｓ相接続線５３ｂ、Ｔ相接続線５３ｃ）がケーシング５２ａ内から外部に突出している。
【０００４】
ここで、複数の接続線５３ａ，５３ｂ，５３ｃは、図１４（ｂ）にも示すように、電磁接触器５１Ａの複数の端子５４ａ，５４ｂ，５４ｃに対応するように、冶具（不図示）を使用して先端部を塑性変形することで所定の相間ピッチＣに設定されている。
ここで、図１５（ａ）に示すように、熱動形過負荷継電器５２と、電磁接触器５１Ａに対して端子５５ａ，５５ｂ，５５ｃの相間ピッチが異なる他機種の電磁接触器５１Ｂとを直列に接続する際には、再度冶具を使用し、複数の接続線５３ａ，５３ｂ，５３ｃの先端部を塑性変形することで、所定の相間ピッチＤに変更している（図１５（ｂ）参照）。
【先行技術文献】
【特許文献】
【０００５】
【特許文献１】特開２００４−１７２１２２号公報
【発明の概要】
【発明が解決しようとする課題】
【０００６】
ところで、熱動形過負荷継電器５２の複数の接続線５３ａ，５３ｂ，５３ｃは、異なる機種の電磁接触器５１Ａ，５１Ｂに電気接続する毎に、冶具を使用した塑性変形により相間ピッチを変形しているので、メンテナンスコストの面で問題がある。
また、熱動形過負荷継電器５２のＳ相の接続線５３ｂ位置は変更できないので、電磁接触器５１Ｂとの幅寸法の調整ができず、電磁接触器５１Ａに接続した場合（幅寸法Ｆ）と比較して幅寸法Ｇ（Ｇ＞Ｆ）が増大した電磁開閉器となってしまう場合もある。
【０００７】
そこで、本発明は、上記従来例の未解決の課題に着目してなされたものであり、異なる機種の電磁接触器と電気接続する際に、冶具等を使用せずに複数の接続線の相間ピッチを容易に変更可能とし、メンテナンスコストを低減することができる熱動形過負荷継電器を提供することを目的としている。
【課題を解決するための手段】
【０００８】
上記目的を達成するために、本発明に係る熱動形過負荷継電器は、主バイメタルの温度上昇に伴う撓み変形で作動力を発生するアクチュエータ機構と、このアクチュエータ機構から作動力を受けて従動する調整機構と、この調整機構の動作により接点が切り替わる接点反転機構と、これらアクチュエータ機構、調整機構及び接点反転機構を格納するケーシングとを備え、電磁接触器の複数の端子に接続する複数の接続線が前記ケーシングから外部に突出している熱動形過負荷継電器において、前記ケーシング内に、前記複数の接続線同士の間隔を変更自在に係合保持し、前記ケーシングから外部に突出する前記複数の接続線の相間ピッチを変更可能とする接続線保持部を配置した。
【０００９】
この発明によると、複数の接続線の相間ピッチを変更するには、接続線保持部に対する複数の接続線の係合位置を変えるだけで、ケーシングから外部に突出する複数の接続線の相間ピッチを変更できるので、従来のような接続線の先端部を冶具等で塑性変形させる作業が不要となり、メンテナンスコストの低減化を図ることができる。
また、本発明に係る熱動形過負荷継電器は、前記ケーシングが、前記アクチュエータ機構、前記調整機構及び前記接点反転機構を格納するケースと、このケースの開口部を閉塞可能に該ケースに着脱自在に装着され、前記複数の接続線を外部に突出させる接続線通過部を設けたカバーとを備え、前記接続線保持部は、前記ケースの開口部側に装着され、前記複数の接続線同士の間隔が変更自在となるように前記複数の接続線の一部を係合保持する少なくとも６箇所の保持部が設けられているようにしてもよい。
【００１０】
この発明によると、接続線保持部に、複数の接続線の一部を係合保持する少なくとも６箇所の保持部を設けただけで、接続線の相間ピッチを変更することができるので、部品コストの低減化を図ることができる。
また、本発明に係る熱動形過負荷継電器は、前記接続線保持部が、前記ケースの内壁、前記ケース内に設けた隔壁及び前記ケースに装着した前記カバーの内壁に係合することで前記ケース内の特定位置に固定されている。
【００１１】
この発明によると、ケース及びカバーを一体化するだけで、複数の接続線の相間ピッチを設定する接続線保持部を、高精度且つ簡単に装着することができる。
さらに、本発明に係る熱動形過負荷継電器は、前記複数の接続線が、少なくとも相間ピッチを変更する方向に弾性変形自在となるように、折曲部を設けながら前記ケーシング内に格納されている。
【００１２】
この発明によると、複数の接続線は、ピッチ方向に弾性変形自在となるので、複数の接続線の相間ピッチを元の相間ピッチに自由に戻すことができる。
【発明の効果】
【００１３】
本発明に係る熱動形過負荷継電器によれば、複数の接続線の相間ピッチを変更するには、接続線保持部に対する複数の接続線の係合位置を変えるだけで、ケーシングから外部に突出する複数の接続線の相間ピッチを変更できるので、従来のような接続線の先端部を冶具等で塑性変形させる作業が不要となり、メンテナンスコストの低減化を図ることができる。
【図面の簡単な説明】
【００１４】
【図１】熱動形過負荷継電器の外観を示す図である。
【図２】熱動形過負荷継電器のカバーを取り外した状態を示す図である。
【図３】熱動形過負荷継電器の要部を示す断面図である。
【図４】調整ダイヤルに接触する調整機構を示した図である。
【図５】（ａ）は初期状態の接点反転機構及び常開接点（ａ接点）を示す図、（ｂ）はトリップ状態の接点反転機構を示す図である。
【図６】（ａ）は初期状態の接点反転機構及び常閉接点（ｂ接点）を示す図、（ｂ）はトリップ状態の接点反転機構を示す図である。
【図７】熱動形過負荷継電器のケーシング及びケーシングに支持される接続線保持部を示す分解斜視図である。
【図８】接続線保持部の要部を示す図である。
【図９】カバーの裏面形状を示す斜視図である。
【図１０】（ａ）は相間ピッチが所定値Ｃとなるように複数の接続線を支持する接続線保持部を示す図、（ｂ）は相間ピッチが所定値Ｄ（Ｄ≠Ｃ）となるように複数の接続線を支持する接続線保持部を示す図である。
【図１１】相間ピッチＣとして接続線保持部に支持された複数の接続線を示す図である。
【図１２】相間ピッチＤとして接続線保持部に支持された複数の接続線を示す図である。
【図１３】（ａ）は複数の接続線の相間ピッチをＣとして電磁接触器に接続した熱動形過負荷継電器を示す図、（ｂ）は複数の接続線の相間ピッチをＤとして他の機種の電磁接触器に接続した熱動形過負荷継電器を示す図である。
【図１４】従来の熱動形過負荷継電器と電磁接触器を接続した状態を示す図である。
【図１５】従来の熱動形過負荷継電器と機種が異なる電磁接触器を接続した状態を示す図である。
【発明を実施するための形態】
【００１５】
以下、本発明を実施するための形態（以下、実施形態という。）を、図面を参照しながら詳細に説明する。
図１から図１３は、本発明に係る熱動形過負荷継電器の１実施形態を示すものであり、図１は熱動形過負荷継電器の外観を示す図、図２は熱動形過負荷継電器のカバーを取り外した状態を示す図、図３は熱動形過負荷継電器の要部を示す断面図、図４は調整ダイヤルに接触する調整機構を示した図、図５（ａ）は初期状態の接点反転機構及び常開接点（ａ接点）を示す図、図５（ｂ）はトリップ状態の接点反転機構を示す図、図６（ａ）は初期状態の接点反転機構及び常閉接点（ｂ接点）を示す図、図６（ｂ）はトリップ状態の接点反転機構を示す図、図７は、熱動形過負荷継電器のケーシング及びケーシングに支持される接続線保持部を示す分解斜視図、図８は接続線保持部の要部を示す図、図９はカバーの裏面形状を示す斜視図、図１０（ａ）は相間ピッチが所定値Ｃとなるように複数の接続線を支持する接続線保持部を示す図、図１０（ｂ）は相間ピッチが所定値Ｄ（Ｄ≠Ｃ）となるように複数の接続線を支持する接続線保持部を示す図、図１１は相間ピッチＣとして接続線保持部に支持された複数の接続線を示す図、図１２は相間ピッチＤとして接続線保持部に支持された複数の接続線を示す図、図１３（ａ）は複数の接続線の相間ピッチをＣとして電磁接触器に接続した熱動形過負荷継電器を示す図、図１３（ｂ）は複数の接続線の相間ピッチをＤとして他の機種の電磁接触器に接続した熱動形過負荷継電器を示す図である。
【００１６】
図１に示すように、本実施形態の熱動形過負荷継電器１は、絶縁ケース７と、この絶縁ケース７に着脱自在に装着されているカバー８とからなるケーシング９を備えている。
図２及び図３に示すように、絶縁ケース７内には、主バイメタル２の温度上昇に伴う撓み変形を利用したアクチュエータ機構１０と、主バイメタル２の一端に係合したシフタ３の変位に従動する調整機構２０と、調整機構２０の動作により接点が切り替わる接点反転機構２１と、接点反転機構２１をリセットするリセット棒４３とを備えている。
【００１７】
アクチュエータ機構１０は、３本の主バイメタル２の他端に電気接続し、三相交流の電流が供給される３本（Ｒ相、Ｓ相及びＴ相）の電源側電力線が電気接続する複数の端子台（不図示）と、各主バイメタル２の外周に螺旋状に巻き付けられ、電源側電力線の電流に応じた熱量を発生する導電性線材からなるヒータ２ａと、３本の主バイメタル２の一端に係合している前述したシフタ３とを備えている。
【００１８】
アクチュエータ機構１０の各端子台には、３本の接続線１２ａ，１２ｂ，１２ｃの一端が電気接続されている。これら３本の接続線１２ａ，１２ｂ，１２ｃは、図２に示すように、導電性線材をクランク形状に折り曲げた部材であり、絶縁ケース７の開口側に装着した接続線保持部１３に、相間ピッチが変更可能となるように支持されているとともに、電磁接触器の端子に接続する他端側は、図１に示すように、カバー８から突出している接続線スリーブ１４ａ，１４ｂ，１４ｃ内を通過してケーシング９の外部に突出している。なお、接続線スリーブ１４ａ，１４ｂ，１４ｃは、スリーブ内部を通過する接続線１２ａ〜１２ｃが径方向に移動自在となる穴形状（楕円の穴形状、或いは接続線１２ａ〜１２ｃより大径な穴形状）を有している。
【００１９】
調整機構２０は、図３に示すように、調整リンク２２と、この調整リンクに回動自在に支持された釈放レバー２３と、この釈放レバー２３に固定され、シフタ３に係合する温度補償バイメタル２４とを備えている。
調整リンク２２は、釈放レバー２３を支持するリンク支持部２５と、リンク支持部２５の一側から下方に延在している脚部２６とで構成されている。
【００２０】
リンク支持部２５は、図３及び図４に示すように、上部に軸受穴が形成され、互いに対向している一対の対向板２５ａと、これら１対の対向板２５ａの間を連結した連結板２５ｃとを備えている。脚部２６は一対の対向板２５ａの一方から下方に延在しており、その下部に軸受穴２６ａが形成されている。
そして、絶縁ケース７の下部側の内壁には、支軸２７が絶縁ケース７内に突出して設けられており、この支軸２７の縮径された先端部に脚部２６の軸受穴２６ａを挿入することで、調整リンク２２全体が、支軸２７を中心として回動自在に絶縁ケース７に支持される。
【００２１】
釈放レバー２３の上部には、調整リンク２２の一対の軸受穴に挿入される一対の回動軸２３ｅが形成されている。これら回動軸２３ｅを挟んで下部の端部に反転ばね押圧部２３ｆが形成されており、上部側にカム接触部２３ｇが形成され、釈放レバー２３の裏面に、温度補償バイメタル２４の端部がかしめ固定されている。釈放レバー２３のカム接触部２３ｇは、絶縁ケース７に回転自在に配置した調整ダイヤル１１の偏心カム１１ａの周面に当接している。
【００２２】
接点反転機構２１は、図５（ａ）に示すように、反転機構支持部３２と、この反転機構支持部３２の近傍に配置され、絶縁ケース７の内壁に設けた支軸３３に回動自在に支持された連動板３４と、反転機構支持部３２に当接した下部３５ａを支点として上部３５ｂが揺動自在に配置されている可動板３５と、可動板３５の上部３５ｂ側に設けた係合穴（不図示）及び下部３５ａの下方位置である反転機構支持部３２のばね支持部３２ａの間に張架された引張りコイルばねからなる反転ばね３６とを備えている。
【００２３】
また、連動板３４には、可動板３５の反転動作、復帰動作とともに連動板３４を支軸３３回りに回動させる第１係合ピン３９ａ及び第２係合ピン３９ｂが可動板３５に係合可能に設けられている。また、反転機構支持部３２には、常開接点（ａ接点）側板ばね３７が自由端を上方に延在した状態で固定されており、この板ばね３７の自由端側にａ接点３８の固定接点３８ａが固定され、可動板３５の上部３５ｂに、固定接点３８ａに接続するａ接点３８の可動接点３８ｂが固定されている。
【００２４】
また、図６（ａ）に示すように、連動板３４を間に挟んでａ接点３８に対する逆側の位置に、常閉接点（ｂ接点）側板ばね４０が自由端を上方に延在した状態で配置されているとともに、この板ばね４０に対向した状態で接点支持板４１が配置されている。板ばね４０は、自由端が連動板３４の一部に係合しており、連動板３４の回動とともに同一方向に回動する。そして、板ばね４０の自由端側にｂ接点４２の可動接点４２ｂが固定され、接点支持板４１に、可動接点４２ｂに接続するｂ接点４２の固定接点４２ａが固定されている。
【００２５】
リセット棒４３は、図３に示すように、絶縁ケース１内に手動で押し込むリセットボタン４３ａと、図５（ｂ）のａ接点側板ばね３７に接触することでトリップ状態となっている可動板３５を初期位置（定常状態）に戻す斜面４３ｂとを備えている。
ここで、ケーシング９を構成する絶縁ケース７の内部には、図７に示すように、互いに対向している一対の側壁７ａ，７ｂに沿い、アクチュエータ機構１０の３本の主バイメタル２を別空間に隔離する複数の隔壁１５ａ，１５ｂが設けられている。
【００２６】
また、図７に示すように、３本の接続線１２ａ，１２ｂ，１２ｃを支持する接続線保持部１３は、電気的絶縁材料からなる長尺部材であり、長手方向の両端に形成した当接壁１３ａ及び当接片１３ｂが一対の側壁７ａ，７ｂの内壁に係合し、図８に示すように、裏面の長手方向に離間して形成した係合凹部１３ｃ，１３ｄが複数の隔壁１５ａ，１５ｂの開放端に嵌まり込んだ状態で絶縁ケース７内に配置されている。
【００２７】
また、図８に示すように、複数の隔壁１５ａ，１５ｂには、絶縁ケース７内に配置した接続線保持部１３の短尺方向の一端に当接する突起当接部１５ａ１，１５ｂ１が形成されているとともに、図９に示すように、カバー８の内壁には、絶縁ケース７内に接続線保持部１３を配置し、且つ絶縁ケース７にカバー８を装着したときに、接続線保持部１３の短尺方向の他端に当接する当接内壁８ａが膨出して形成されている。
【００２８】
このように、接続線保持部１３の係合凹部１３ｃ，１３ｄが複数の隔壁１５ａ，１５ｂの開放端に嵌まり込み、接続線保持部１３の短尺方向の両端を突起当接部１５ａ１，１５ｂ１及びカバー８の当接内壁８ａが当接することで、接続線保持部１３の長尺方向及び短尺方向（図８の矢印Ａ方向が長尺方向、矢印Ｂ方向が短尺方向）の移動が拘束されている。
【００２９】
接続線保持部１３の上面には、図１０（ａ）に示すように、長尺方向に所定間隔をあけて一対の保持壁１６ａ，１６ｂが形成されている。そして、一方の保持壁１６ａの当接片１３ｂ側に寄った位置に第１保持凸部１７ａが形成され、一対の保持壁１６ａ，１６ｂの間であって他方の保持壁１６ｂに近接する位置に第２保持凸部１７ｂが形成され、当接壁１３ａ及び他方の保持壁１６ｂとの間であって当接壁１３ａに近接する位置に第３保持凸部１７ｃが形成されている。第１〜第３保持凸部１７ａ〜１７ｃの上部には、当接壁１３ａ側から当接片１３ｂ側に向かうに従い上り傾斜を付けた傾斜面が形成されている。
【００３０】
そして、図１０（ａ）に示すように、接続線１２ａは一方の保持壁１６ａ及び第１保持凸部１７ａの傾斜面に当接する位置で支持され、接続線１２ｂが他方の保持壁１６ｂ及び第２保持凸部１７ｂの傾斜面に当接する位置で支持され、接続線１２ｃが当接壁１３ａ及び第３保持凸部１７ｃの傾斜面に当接する位置で支持されると、相間ピッチがＣに設定されながら３本の接続線１２ａ〜１２ｃが接続線保持部１３に支持される。ここで、３本の接続線１２ａ〜１２ｃは、図１１（ａ），（ｂ）に示すように、接続線スリーブ１４ａ，１４ｂ，１４ｃ内を通過する直前の接続線保持部１３の上面に沿って延在する部分が支持されている。
【００３１】
また、図１０（ｂ）に示すように、接続線１２ａが第１保持凸部１７ａを乗り越えて当接片１３ｂ側の位置で支持され、接続線１２ｂが第２保持凸部１７ｂを乗り越えて一方の保持壁１６ａ側の位置で支持され、接続線１２ｃが第３保持凸部１７ｃを乗り越えて他方の保持壁１６ｂ側の位置で支持されると、相間ピッチがＤ（Ｄ≠Ｃ）に設定されながら３本の接続線１２ａ〜１２ｃが接続線保持部１３に支持されるようになっている（図１１（ｂ）も参照）。
【００３２】
次に、本実施形態の熱動形過負荷継電器１と異なる機種の電磁接触器を直列に接続する作業について図１３を参照して説明する。
図１３（ａ）に示す電磁接触器１８Ａの複数の端子（Ｒ相端子１８ａ、Ｓ相端子１８ｂ、Ｔ相端子１８ｃ）は、接続線１２ａ〜１２ｃの相間ピッチをＣに設定した熱動形過負荷継電器１に電気的に接続可能とされている。
【００３３】
このため、熱動形過負荷継電器１のカバー８を外し、図１０（ａ）及び図１１に示すように、接続線保持部１３の一方の保持壁１６ａ及び第１保持凸部１７ａの傾斜面に当接する位置で接続線１２ａを支持し、他方の保持壁１６ｂ及び第２保持凸部１７ｂの傾斜面に当接する位置で接続線１２ｂを支持し、当接壁１３ａ及び第３保持凸部１７ｃの傾斜面に当接する位置で接続線１２ｃを支持することで、３本の接続線１２ａ〜１２ｃの相間ピッチをＣに設定する。そして、カバー８を装着した後、接続線スリーブ１４ａ，１４ｂ，１４ｃから突出した３本の接続線１２ａ〜１２ｃを、電磁接触器１８Ａの複数の端子１８ａ，１８ｂ，１８ｃに対応して電気的に接続する。
【００３４】
また、熱動形過負荷継電器１を、複数の端子（Ｒ相端子１８ｄ、Ｓ相端子１８ｅ、Ｔ相端子１８ｆ）の相間ピッチＤが電磁接触器１８Ａと異なる（Ｄ≠Ｃ）他の機種の電磁接触器１８Ｂに接続するには、熱動形過負荷継電器１のカバー８を外し、図１０（ｂ）及び図１２に示すように、接続線保持部１３の第１保持凸部１７ａを乗り越えて当接片１３ｂ側の位置で接続線１２ａを支持し、第２保持凸部１７ｂを乗り越えて一方の保持壁１６ａ側の位置で接続線１２ｂを支持し、第３保持凸部１７ｃを乗り越えて他方の保持壁１６ｂ側の位置で接続線１２ｃを支持する。これにより、３本の接続線１２ａ〜１２ｃの相間ピッチがＤに設定され、カバー８を装着した後、接続線スリーブ１４ａ，１４ｂ，１４ｃから突出した３本の接続線１２ａ〜１２ｃを、電磁接触器１８Ｂの複数の端子１８ｄ，１８ｅ，１８ｆに対応して電気的に接続する。
【００３５】
次に、本実施形態の熱動形過負荷継電器１の動作について説明する。
図３に示すように、過負荷電流によってヒータ２ａが発熱して主バイメタル２が湾曲すると、その自由端の変位によってシフタ３が図１の符号Ｑの矢印方向に変位する。変位したシフタ３によって温度補償バイメタル２４の自由端が押圧されると、温度補償バイメタル２４に一体化された釈放レバー２３が、調整リンク２２に支持された回動軸２３ｄ，２３ｅ回りに時計方向に回動していき、釈放レバー２３の反転ばね押圧部２３ｆが反転ばね３６を押圧する。
【００３６】
そして、釈放レバー２３の時計方向の回動が進行し、反転ばね押圧部２３ｆの押圧力が反転ばね３６のばね付勢力を上回ると、可動板３５が下部３５ａを支点として反転動作を行なう。また、この可動板３５の反転動作とともに、第１係合ピン３９ａを介して可動板３５の反転動作が伝達された連動板３４も、支軸３３回りに回動する（図５（ｂ）、図６（ｂ）参照）。
【００３７】
これにより、図５（ａ）の開状態となっていたａ接点３８の固定接点３８ａ及び可動接点３８ｂが接続し、図６（ａ）の閉状態となっていたｂ接点４２の固定接点４２ａ及び可動接点４２ｂが離間し、これらａ接点３８及びｂ接点４２の情報を基に、電磁接触器１８Ａ、或いは１８Ｂを開極動作させて主回路の過負荷電流を遮断する。
そして、主回路電流の遮断後、主バイメタル２の湾曲が十分に戻ったところで、リセットボタン４３ａを押し込むと、リセット棒４３の斜面４３ｂが、図５（ｂ）のトリップ状態となっている可動板３５に対してａ接点側板ばね３７を介してリセット荷重を作用し、可動板３５を初期状態の位置に戻すとともに、第２係合ピン３９ｂを介して連動板３４を初期状態（定常状態）の位置に戻すことで、熱動形過負荷継電器をリセットする。
【００３８】
次に、本実施形態の熱動形過負荷継電器１の作用効果について説明する。
熱動形過負荷継電器１の３本の接続線１２ａ〜１２ｃの相間ピッチを変更するには、接続線保持部１３に係合している３本の接続線１２ａ〜１２ｃの係合位置を変えるだけで、相間ピッチ（Ｃ、Ｄ）を容易に変更できる。このため、従来のような接続線の先端部を冶具等で塑性変形させる作業が不要となるので、メンテナンスコストの低減化を図ることができる。
【００３９】
また、３本の接続線１２ａ〜１２ｃは、クランク形状に折り曲げられて少なくともピッチ方向に弾性変形自在に延在しているので、３本の接続線１２ａ〜１２ｃの相間ピッチを元の相間ピッチ（ＣからＤ、或いはＤからＣ）に自由に戻すことができるとともに、Ｓ相の接続線位置を変更することができるので、電磁接触器１８Ａ，１８Ｂとの幅寸法の調整が可能となり、幅寸法を小さくした電磁開閉器を提供することができる。
【００４０】
また、絶縁ケース７の開口部側に装着される接続線保持部１３は、当接壁１３ａ、一対の保持壁１６ａ，１６ｂ及び第１〜第３保持凸部１７ａ〜１７ｃを設けただけで、３本の接続線１２ａ〜１２ｃの相間ピッチを変更することができるので、部品コストの低減化も図ることができる。
【００４１】
また、接続線保持部１３の係合凹部１３ｃ，１３ｄが絶縁ケース７の複数の隔壁１５ａ，１５ｂの開放端に嵌まり込み、接続線保持部１３の短尺方向の両端を突起当接部１５ａ１，１５ｂ１及びカバー８の当接内壁８ａが当接することで、接続線保持部１３の長尺方向及び短尺方向（図８の矢印Ａ方向が長尺方向、矢印Ｂ方向が短尺方向）の移動が拘束されるので、絶縁ケース８及びカバー８を一体化するだけで、３本の接続線１２ａ〜１２ｃの相間ピッチ相間ピッチを設定する接続線保持部１３を、高精度且つ簡単にケーシング９に装着することができる。
【００４２】
なお、本実施形態では、接続線保持部１３に、当接壁１３ａ、一対の保持壁１６ａ，１６ｂ及び第１〜第３保持凸部１７ａ〜１７ｃを設けたことで、３本の接続線１２ａ〜１２ｃの相間ピッチをＣ、或いはＤの二種類に変更可能としたが、接続線保持部１３の構造を変更することで、３本の接続線１２ａ〜１２ｃの相間ピッチを三種類以上に変更することができる。
【符号の説明】
【００４３】
１…熱動形過負荷継電器、２…主バイメタル、２ａ…ヒータ、３…シフタ、７…絶縁ケース（ケース）、７ａ，７ｂ…側壁、８…カバー、８ａ…当接内壁、９…ケーシング、１０…アクチュエータ機構、１１…調整ダイヤル、１１ａ…偏心カム、１２ａ，１２ｂ，１２ｃ…接続線、１３…接続線保持部、１３ａ…当接壁、１３ｂ…当接片、１３ｃ，１３ｄ…係合凹部、１４ａ，１４ｂ，１４ｃ…接続線スリーブ（接続線通過部）、１５ａ，１５ｂ…隔壁、１５ａ１，１５ｂ１…突起当接部、１６ａ，１６ｂ…保持壁、１７ａ…第１保持凸部、１７ｂ…第２保持凸部、１７ｃ…第３保持凸部、１８Ａ…電磁接触器、１８Ｂ…電磁接触器、１８ａ，１８ｂ，１８ｃ…電磁接触器の端子、１８ｄ，１８ｅ，１８ｆ…電磁接触器の端子、２０…調整機構、２１…接点反転機構、２２…調整リンク、２３…釈放レバー、２３ｅ…回動軸、２３ｆ…反転ばね押圧部、２３ｇ…カム接触部、２４…温度補償バイメタル、２５…リンク支持部、２５ａ…対向板、２５ｃ…連結板、２６…脚部、２６ａ…軸受穴、２７…支軸、３２…反転機構支持部、３２ａ…ばね支持部、３３…支軸、３４…連動板、３５…可動板、３５ａ…下部、３５ｂ…上部、３７…ａ接点側板ばね、３８…ａ接点、３８ａ…ａ接点の固定接点、３８ｂ…ａ接点の可動接点、３９ａ…第１係合ピン、３９ｂ…第２係合ピン、４０…ｂ接点側板ばね、４１…接点支持板、４２…ｂ接点、４２ａ…ｂ接点の固定接点、４２ｂ…ｂ接点の可動接点、４３…リセット棒、４３ａ…リセットボタン、４３ｂ…斜面
【図１】
2010232057.tif 000003
【図２】
2010232057.tif 000004
【図３】
2010232057.tif 000005
【図４】
2010232057.tif 000006
【図５】
2010232057.tif 000007
【図６】
2010232057.tif 000008
【図７】
2010232057.tif 000009
【図８】
2010232057.tif 000010
【図９】
2010232057.tif 000011
【図１０】
2010232057.tif 000012
【図１１】
2010232057.tif 000013
【図１２】
2010232057.tif 000014
【図１３】
2010232057.tif 000015
【図１４】
2010232057.tif 000016
【図１５】
2010232057.tif 000017